(57)【特許請求の範囲】
【請求項１】
ジャッキやテコ等の押上治具（１３）と、その押上治具（１３）を戴承する枠形戴承台（１４）と、その戴承台（１４）を戴承する枠形支持台（１５）と、その支持台（１５）を支える脚材（１６）と、上端が押上治具（１３）に接合されていて下端をＰＣ基礎部材（１１）に接合して使用する吊り材（１７）とで構成され；  戴承台（１４）と支持台（１５）が、それぞれ平行に並んだ２本のパイプ（４１・４２、５１・５２）の向き合う端部と端部を連結材（４３・４４、５３・５４）で連結して枠状に構成され；  それら戴承台（１４）と支持台（１５）の中央部がそれぞれパイプ（４１・４２、５１・５２）と連結材（４３・４４、５３・５４）に囲まれた開口（２１・４０）となっており；戴承台の連結材（４３・４４）の長さａが、支持台のパイプ（５１・５２）の長さｂよりも短く；  支持台の連結材（５３・５４）の長さｃが、戴承台のパイプ（４１・４２）の長さｄよりも短くなっていることを特徴とするＰＣ基礎部材位置調整治具。
【請求項２】
前掲請求項１に記載の押上治具（１３）が、油圧シリンダー本体（１８）からピストン（１９）が出没する油圧ジャッキであり；  油圧ジャッキ（１３）の基台（２０）が、戴承台（１４）の平行に並んだ２本のパイプ（４１・４２）の中央部間に架け渡されており；  その基台（２０）によって戴承台（１４）の開口（２１）が、２本のパイプ（４１・４２）と基台（２０）と連結材（４３・４４）で囲まれた二つの開口（２１ａ・２１ｂ）に分割されており；  ２本の吊り材（１７ａ・１７ｂ）が、ピストン（１９）の先端に取り付けられた天端部材（２２）から、基台（２０）を境に左右に分かれ、それぞれ基台（２０）の左右の開口（２１ａ・２１ｂ）を通って平行に吊り下げられており；
それら２本の吊り材（１７ａ・１７ｂ）の下端が、吊り具（２３）に接合されており；  平行に吊り下げられた２本の吊り材（１７ａ・１７ｂ）の外側間の距離ｅが、支持台の平行に並んだ２本のパイプの内側間の距離ｃよりも短くなっていることを特徴とする請求項１に記載のＰＣ基礎部材位置調整治具。
【請求項３】
前掲請求項２に記載の吊り具（２３）の上端部に、従動部材（２４）が螺子（２５）に駆動される螺旋機構装置が形成されており；  ＰＣ基礎部材（１１）を戴承する爪材（２６）が、吊り具（２３）の下端部から突き出ており；  吊り具（２３）の上端部の螺旋機構装置と下端部の爪材（２６）の間が、ＰＣ基礎部材が嵌合するＰＣ基礎部材嵌合スペース（２８）となっており、そのＰＣ基礎部材嵌合スペース（２８）が、上端部の螺旋機構装置と、下端部の爪材（２６）と、それらを連結する支材（２７）とで囲まれてコ字形を成し；
爪材（２６）が、従動部材（２４）の移動方向に平行に向けて突き出ていること；
を特徴とする請求項２に記載のＰＣ基礎部材位置調整治具。
【請求項４】
前掲請求項３に記載の吊り具（２３）の上端部に、螺旋機構装置の螺子（２５）に平行に他の螺子桿（２９）が取り付けられており；  爪材（２６）の突出先端（３０）と同じ側となる螺子桿（２９）の先端（３１）に、下端（３２）がＰＣ基礎部材嵌合スペース（２８）に達する長さ（３１）のＰＣ基礎部材係止舌片（３３）が取り付けられていることを特徴とする請求項３に記載のＰＣ基礎部材位置調整治具。
【請求項５】
前掲請求項３に爪材（２６）が２つの爪材に分岐しており；
その分かれた爪材と爪材の間が、鉄筋が嵌合する鉄筋嵌合スペース（３４）になっていることを特徴とする請求項３に記載のＰＣ基礎部材位置調整治具。
【請求項６】
前掲請求項１に記載の押上治具（１３）が油圧シリンダー本体（１８）からピストン（１９）が出没する油圧ジャッキであり；  ピストン（１９）の上端に取り付けられた天端部材（２２）には２本の吊り材（１７ａ・１７ｂ）の各上端が接合されており；  それら２本の吊り材（１７ａ・１７ｂ）の各下端には、アンカーボルト（３５）に嵌合するアンカーボルト嵌合孔を有する吊上部材（３７）が接合されており；  吊上部材（３７）と吊り材（１７）との接合箇所（３８）が、アンカーボルト嵌合孔の中心線（６３）から離れていることを特徴とする前掲請求項１に記載のＰＣ基礎部材位置調整治具。
【発明の詳細な説明】
【０００１】
【発明の属する技術分野】
本発明は、建築物の基礎施工下地面に据付施工するＰＣ基礎部材の据付位置を所定の位置に合わせると共に、その建ち具合を垂直に揃えるＰＣ基礎部材位置調整治具に関するものである。
【０００２】
【従来の技術】
従来、ＰＣ基礎部材の据付位置を所定の位置に合わせる据付位置の調整や建ち具合を垂直に揃える建ち具合調整は、仮置きした基礎施工下地面１２とＰＣ基礎部材１１の間の隙間に大型バール１０の先端を差し込み、その大型バール１０をテコにして前後左右に、或いは、上下に振り動かし、その都度ＰＣ基礎部材１１の据付位置や建ち具合を目視確認して行っている（図１２）。
【０００３】
【発明が解決しようとする課題】
この大型バールを用いた従来のＰＣ基礎部材据付位置調整方法では、ＰＣ基礎部材が高重量物なので据付位置の調整に多大な労力を要し、大型バールを力まかせに大きく振り動かさなければＰＣ基礎部材が移動しないので、大型バールの振り動かし方を加減してＰＣ基礎部材の据付位置を微調整することが難しい。
【０００４】
又、ＰＣ基礎部材のレベルを揃えると建ち具合具合や並び具合に不揃いが生じ、並び具合を揃えるとレベルや建ち具合に不揃いが生じ、ＰＣ基礎部材のレベルと建ち具合と並び具合が同時に揃うまでには何回も大型バールを振り動かし、その振り動かす度にレベルと建ち具合と並び具合をそれぞれ目視確認しなければならないので、ＰＣ基礎部材据付位置調整に手間取る。
【０００５】
そして、ＰＣ基礎部材の据付位置の調整は、ＰＣ基礎部材の一端を調整してから他端を調整するやり方で、一端づつ行うのであるが、その一端の位置調整をしてから他端の位置調整を行うときに、先にし終えた一端でのレベルや建ち具合に不揃いが生じて再度調整し直さなければならなくなることが起こるため、基礎部材施工下地面に配列する全てのＰＣ基礎部材の位置調整をし終えるまでには相当の時間を要する。
【０００６】
ＰＣ基礎部材据付下地面の捨てコンクリートが薄く軟弱になっているときは、大型バールを介して作用するＰＣ基礎部材の重量によって基礎施工下地面に亀裂や窪みが出来るため、大型バールによるＰＣ基礎部材の移動が困難になり、その大型バールを振り動かすには、大型バールの長さと作業員が立ち廻れるだけの余裕のあるスペースを必要とする。
しかし、建築現場によってはそれほど広いスペースがない場合もあり、そのような場合は狭い箇所で無理な姿勢で作業せざるを得なくなるので危険を伴うことになる。
【０００７】
そして、大型バールを用いたＰＣ基礎部材の据付位置の調整においては、据付位置調整時にＰＣ基礎部材が浮き上がってしまうこともあり、そのときＰＣ基礎部材が転倒する危険があり、動かそうとするＰＣ基礎部材の足元（大型バールをかける箇所）が不安定で反力がとれない場合もあり、クレーンを使用して吊り上げて微調節をするには余分な時間とコストが発生する。
【０００８】
【発明の目的】
本発明は、ＰＣ基礎部材据付位置の下地面の良し悪しに影響されず、据付位置の調整時にはＰＣ基礎部材の建ち具合が損なわれず、建ち具合の調整時には据付位置が変わってしまわず、建ち具合と据付位置の各調整をそれぞれ切り離して行うことが出来、且つ、迅速確実にＰＣ基礎部材の据付位置と建ち具合を調整し得るようにすることを目的とする。
【０００９】
【課題を解決するための手段】
本発明に係るＰＣ基礎部材位置調整治具（３９）は、ジャッキやテコ等の押上治具（１３）と、その押上治具（１３）を戴承する枠形戴承台（１４）と、その戴承台（１４）を戴承する枠形支持台（１５）と、その支持台（１５）を支える脚材（１６）と、上端が押上治具（１３）に接合されていて下端をＰＣ基礎部材（１１）に接合して使用する吊り材（１７）とで構成され、戴承台（１４）と支持台（１５）が、それぞれ平行に並んだ２本のパイプ（４１・４２、５１・５２）の向き合う端部と端部を連結材（４３・４４、５３・５４）で連結して枠状に構成され、それら戴承台（１４）と支持台（１５）の中央部がそれぞれパイプ（４１・４２、５１・５２）と連結材（４３・４４、５３・５４）に囲まれた開口（２１・４０）となっており、戴承台の連結材（４３・４４）の長さａが、支持台のパイプ（５１・５２）の長さｂよりも短く、支持台の連結材（５３・５４）の長さｃが、戴承台のパイプ（４１・４２）の長さｄよりも短くなっていることを第１の特徴とする。
【００１０】
本発明に係るＰＣ基礎部材位置調整治具（３９）の第２の特徴は、上記第１の特徴に加えて、押上治具（１３）に、油圧シリンダー本体（１８）からピストン（１９）が出没する油圧ジャッキを使用し、その油圧ジャッキ（１３）の基台（２０）を戴承台（１４）の平行に並んだ２本のパイプ（４１・４２）の中央部間に架け渡し、その基台（２０）によって戴承台（１４）の開口（２１）を２本のパイプ（４１・４２）と基台（２０）と連結材（４３・４４）で囲まれた二つの開口（２１ａ・２１ｂ）に分割し、２本の吊り材（１７ａ・１７ｂ）を、ピストン（１９）の先端に取り付けられた天端部材（２２）から、基台（２０）を境に左右に分けて、それぞれ基台（２０）の左右の開口（２１ａ・２１ｂ）を通って平行に吊り下げ、それら２本の吊り材１７ａ・１７ｂの下端に吊り具（２３）を接合し、その平行に吊り下げられた２本の吊り材（１７ａ・１７ｂ）の外側間の距離ｅを支持台の平行に並んだ２本のパイプの内側間の距離ｃよりも短くしたことにある。
【００１１】
本発明に係るＰＣ基礎部材位置調整治具（３９）の第３の特徴は、上記第２の特徴に加えて、吊り具（２３）の上端部に従動部材（２４）が螺子（２５）に駆動される螺旋機構装置が形成されており、ＰＣ基礎部材（１１）を戴承する爪材（２６）が吊り具（２３）の下端部から突き出ており、吊り具（２３）の上端部の螺旋機構装置と下端部の爪材（２６）の間がＰＣ基礎部材が嵌合するＰＣ基礎部材嵌合スペース（２８）となっており、そのＰＣ基礎部材嵌合スペース（２８）が上端部の螺旋機構装置と下端部の爪材（２６）とそれらを連結する支材（２７）とで囲まれてコ字形を成しており、爪材（２６）が従動部材（２４）の移動方向に平行に向けて突き出ていることにある。
【００１２】
本発明に係るＰＣ基礎部材位置調整治具（３９）の第４の特徴は、上記第３の特徴に加えて、吊り具（２３）の上端部に螺旋機構装置の螺子（２５）に平行な他の螺子桿（２９）が取り付けられており、爪材（２６）の突出先端（３０）と同じ側となる螺子桿（２９）の先端（３１）に、下端（３２）がＰＣ基礎部材嵌合スペース（２８）に達する長さ（Ｈ）のＰＣ基礎部材係止舌片（３３）が取り付けられていることにある。
【００１３】
本発明に係るＰＣ基礎部材位置調整治具（３９）の第５の特徴は、上記第３の特徴に加えて、爪材（２６）が２つの爪材に分岐しており、その分かれた爪材と爪材の間が、鉄筋が嵌合する鉄筋嵌合スペース（３４）になっていることにある。
【００１４】
本発明に係るＰＣ基礎部材位置調整治具（３９）の第６の特徴は、上記第１の特徴に加えて、押上治具（１３）に油圧シリンダー本体（１８）からピストン（１９）が出没する油圧ジャッキが使用されており、そのピストン（１９）の上端に取り付けられた天端部材（２２）に２本の吊り材（１７ａ・１７ｂ）の各上端が接合されており、それら２本の吊り材（１７ａ・１７ｂ）の各下端にアンカーボルト（３５）に嵌合するアンカーボルト嵌合孔を有する吊上部材（３７）が接合されており、吊上部材（３７）と吊り材（１７）との接合箇所（３８）がアンカーボルト嵌合孔の中心線（６３）から離れていることにある。
【００１５】
【発明の実施の形態】
図１〜図１１は、本発明の実施の形態を図示するものである。
【００１６】
【第１実施例】
即ち、図１〜図７は、本発明の第１実施例に係るＰＣ基礎部材位置調整治具３９を図示するものである。
ＰＣ基礎部材位置調整治具３９は、押上治具１３と、その押上治具１３を戴承する枠形戴承台１４と、その戴承台１４を戴承する枠形支持台１５と、その支持台１５）を支える脚材１６と、上端が押上治具１３に接合されていて下端をＰＣ基礎部材１１に接合して使用する吊り材１７とで構成されている。
【００１７】
戴承台１４と支持台１５は、それぞれ平行に並んだ２本のパイプ４１・４２・５１・５２の向き合う端部と端部を連結材４３・４４・５３・５４で連結して枠状に構成され、それら戴承台１４と支持台１５の中央部は、それぞれパイプ４１・４２・５１・５２と連結材４３・４４・５３・５４に囲まれた開口２１・４０になっている。
【００１８】
戴承台の連結材４３・４４の長さａは、支持台のパイプ５１・５２の長さｂよりも短く、支持台の連結材５３・５４の長さｃは、戴承台のパイプ４１・４２の長さｄよりも短くなっている。
【００１９】
このため、戴承台のパイプ４１・４２を支持台のパイプ５１・５２の上に載せて、戴承台１４を支持台１５の上に搭載した状態では、戴承台のパイプ４１・４２と支持台の連結材５３・５４の間に隙間が前後に分かれて２箇所に出来、同時に戴承台の連結材４３・４４と支持台のパイプ５１・５２の間にも隙間が左右に分かれて２箇所に出来る。
【００２０】
このように出来る隙間に、図３と図４に図示する如く、バールやパイプ等の桿材４５を差し込んで振り動かせば、パイプ４１・４２（５１・５２）と連結材５３・５４（４３・４４）の間の隙間が押し広げられることになり、その隙間が広がった分だけ戴承台１４が前後左右に移動することになる。
【００２１】
このためＰＣ基礎部材１１に吊り材１７を接合して吊り上げた状態において、それらの隙間に桿材４５を差し込んで振り動かせば、戴承台１４に搭載した押上治具１３と共にＰＣ基礎部材１１を前後左右に移動することが出来、そうすることによってＰＣ基礎部材１１の据付位置調整が出来る。
【００２２】
この場合、相対移動する戴承台１４と支持台１５は、パイプ同士４１・４２と５１・５２が接触する点接触であるから、その間の摩擦抗力は少なく、従って、ＰＣ基礎部材１１の移動に左程の労力を要しない。
【００２３】
このように、戴承台１４と支持台１５のパイプ４１・４２・５１・５２は、このように点接触して戴承台１４が支持台１５の上で滑動し易くするためのものであるから、図示された丸パイプ４１・４２・５１・５２に代えて円形断面や半円形断面の軸材を使用することも出来、また、丸パイプを割ったような三日月形断面の半円筒形の割りパイプを使用することも出来る。
【００２４】
丸パイプ４１・４２・５１・５２には、建築現場の足場等に使用される単管を使用するとよい。
【００２５】
押上治具１３には、油圧シリンダー本体１８からピストン１９が出没する油圧ジャッキが使用されている。
油圧ジャッキ１３の基台２０は、戴承台１４の平行に並んだ２本のパイプ４１・４２の中央部間に架け渡されており、その基台２０によって戴承台１４の開口２１が、２本のパイプ４１・４２と基台２０と連結材４３・４４で囲まれた二つの開口２１ａ・２１ｂに分割されている。
【００２６】
ピストン１９の先端に取り付けられた天端部材２２からは２本の吊り材１７ａ・１７ｂが吊り下げられている。
それら２本の吊り材１７ａ・１７ｂは、基台２０を境に左右に分かれ、それぞれ基台２０の左右の開口２１ａ・２１ｂを通って平行に吊り下げられている。
それら２本の吊り材１７ａ・１７ｂの下端には吊り具２３が接合されている。
【００２７】
そのように平行に吊り下げられた２本の吊り材１７ａ・１７ｂの外側間の距離ｅは、支持台の平行に並んだ２本のパイプの内側間の距離ｃよりも短くなっている。
このため、戴承台のパイプ４１・４２を支持台のパイプ５１・５２の上に載せて戴承台１４を支持台１５の上に搭載した状態において、戴承台１４の開口２１と支持台１５の開口４０を貫いて吊り材１７を天端部材２２から垂直に吊り下げることが出来る。
【００２８】
吊り具２３の上端部には、従動部材２４が螺子２５に駆動される螺旋機構装置が形成されている。吊り具２３の下端部からは、ＰＣ基礎部材１１を戴承する爪材２６が突き出ている。
吊り具２３の上端部の螺旋機構装置と下端部の爪材２６の間は、ＰＣ基礎部材が嵌合するＰＣ基礎部材嵌合スペース２８となっており、そのＰＣ基礎部材嵌合スペース２８は、上端部の螺旋機構装置と、下端部の爪材２６と、それらを連結する支材２７とで囲まれてコ字形を成している。
【００２９】
支材２７の上端部からは、爪材２６と同じ側に平板４６が突き出ている。その平板の両端は、上向きに突き出ており、この突き出た突出片４７と突出片４６に螺子２５が回転可能に支架されている。
この螺子２５には従動部材２４が螺子合わされており、螺子２５が回転するとき従動部材２４が２つの突出片４７・４８の間を往復移動するようになっている。
従って、平板４６と突出片４７と突出片４８を含む支材２７の上端部は、上記の螺旋機構装置の固定フレームを構成することになる。
【００３０】
従動部材２４には、短い角パイプ４９が、螺子２５の長さ方向に対して直角になる方向に向けて、平板４６と平行に取り付けられている。
その角パイプ４９の両端部に開けた孔５０には吊り材１７の下端が通され、その孔５０から突き出た吊り材１７の下端にナット５５が螺着されている。
【００３１】
爪材４６は、従動部材２４の移動方向に平行に向けて突き出ており、螺旋機構装置の螺子２５と平行になっている。このため、ＰＣ基礎部材１１を吊り上げた状態において、垂直に平行に並んだ２つの吊り材１７ａ・１７ｂが含まれる垂直面は、ＰＣ基礎部材１１の重心Ｇを通ることになる。
【００３２】
その状態において、従動部材２４が螺子２５に従って移動しても、ＰＣ基礎部材１１の重心Ｇの位置は変わらない。そして、その従動部材２４が移動した分だけ、ＰＣ基礎部材２４の天端５６の位置が変わる。
その結果、ＰＣ基礎部材１１の前後の傾き具合が変わり、その従動部材２４の移動によってＰＣ基礎部材１１の建ち具合を垂直に揃えることが出来ることになる。
【００３３】
螺旋機構装置の固定フレームとなる２つの突出片４７・４８の間には、もう１つの螺子桿２９が螺旋機構装置の螺子２５に平行に支架されている。
爪材２６の突出先端３０と同じ側となる螺子桿２９の先端３１には、下端３２がＰＣ基礎部材嵌合スペース２８に達する長さのＰＣ基礎部材係止舌片３３が取り付けられており、係止舌片３３は螺子桿２９を回すと前後に移動し、爪材２６に戴承されてスペース２８に嵌め込まれたＰＣ基礎部材１１は、係止舌片３３と支材２７の間で確りと挟持されることになる。
【００３４】
このため、ＰＣ基礎部材１１の据付位置の調整や建ち具合の調整を行う過程において、ＰＣ基礎部材１１と吊り具２３との間がズレて、それらの調整作業に支障を来すようなことはおこらない。
【００３５】
５７は、螺子２５と螺子桿２９を回すハンドルであり、螺子２５の先端と螺子桿２９の先端に付け替えて使用することが出来るようになっている。
【００３６】
爪材２６の先端側は２つに分岐し、その分かれた爪材と爪材の間に鉄筋が嵌合する鉄筋嵌合スペース３４を設けておくとよい。
それは、ＰＣ基礎部材１１の中には、その下端からスターラップ筋５８や下端主筋５７が突き出たものもあり、そのようなＰＣ基礎部材１１を吊り上げる場合に、スターラップ筋５８が鉄筋嵌合スペース３４に嵌合して爪材２６に突き当たることがないようにするためである。
【００３７】
【第２実施例】
図８〜図９は、本発明の第２実施例に係るＰＣ基礎部材位置調整治具３９を図示するものである。
ＰＣ基礎部材位置調整治具３９は、押上治具１３と、その押上治具１３を戴承する枠形戴承台１４と、その戴承台１４を戴承する枠形支持台１５と、その支持台１５を支える脚材１６と、上端が押上治具１３に接合されていて下端をＰＣ基礎部材１１に接合して使用する吊り材１７とで構成されている。
【００３８】
押上治具１３には、油圧シリンダー本体１８からピストン１９が出没する油圧ジャッキが使用されている。ピストン１９の上端に取り付けられた天端部材２２には２本の吊り材１７ａ・１７ｂの各上端が接合されている。
それら２本の吊り材１７ａ・１７ｂの各下端には、アンカーボルト３５に嵌合するアンカーボルト嵌合孔を有する吊上部材３７が接合されており、ＰＣ基礎部材１１の天端５６から突き出ているアンカーボルト３５を吊上部材３７のアンカーボルト嵌合孔に差し込んでナット６０を締め、ＰＣ基礎部材１１を吊り上げるようになっている。
【００３９】
ＰＣ基礎部材１１は、吊り材１７ａ・１７ｂの長さを変えて左右のバランスがとられる。６３は吊り材１７ａ・１７ｂを長さを変える緊張器であり、それにはチエーンブロックやヒッパラーと称されるものが使用される。
【００４０】
戴承台１４と支持台１５は、それぞれ平行に並んだ２本のパイプ４１・４２・５１・５２の向き合う端部と端部を連結材４３・４４・５３・５４で連結して枠状に構成され、それら戴承台１４と支持台１５の中央部は、それぞれパイプ４１・４２・５１・５２と連結材４３・４４・５３・５４に囲まれた開口２１・４０になっている。
【００４１】
戴承台の連結材４３・４４の長さａは、支持台のパイプ５１・５２の長さｂよりも短く、支持台の連結材５３・５４の長さｃは、戴承台のパイプ４１・４２の長さｄよりも短くなっている。
従って、この第２実施例の場合も、前記第１実施例の場合と同様に、戴承台１４を支持台１５の上に搭載し、戴承台のパイプ４１・４２と支持台の連結材５３・５４の間、および、戴承台の連結材４３・４４と支持台のパイプ５１・５２の間に出来る隙間に桿材４５を差し込んで振り動かし、戴承台１４を前後左右に移動させて、ＰＣ基礎部材１１の据付位置を調整することが出来る。
【００４２】
吊上部材３７の吊り材１７との接合箇所３８は、アンカーボルト嵌合孔の中心線６３から離れている。
このため、ＰＣ基礎部材１１の天端５６から突き出ているアンカーボルト３５を吊上部材３７のアンカーボルト嵌合孔に差し込んでナット６０を締めて吊り上げた状態において、アンカーボルト３５を中心に吊上部材３７を回転移動させると、２本の吊り材１７ａ・１７ｂが含まれる垂直面からＰＣ基礎部材１１の重心Ｇまでの距離が変わり、ＰＣ基礎部材１１の重心Ｇの位置が変わるので、ＰＣ基礎部材１１の傾きが変わることになる。
従って、アンカーボルト３５を中心に吊上部材３７を回すことによって、ＰＣ基礎部材の建ち具合の調整が出来る。
【００４３】
【第３実施例】
図１１は、上記第１実施例と第２実施例における支持台１５の連結材５３・５４と脚材１６を、Ｕ字状に折り曲げた単管により一体的に形成したＰＣ基礎部材位置調整治具３９を図示するものである。
この第３実施例が示す如く、戴承台１４と支持台１５の連結材４３・４４・５３・５４は、戴承台１４と支持台１５との３本のパイプと共に、バールやパイプ等の桿材を差し込むための隙間の周縁の一部を形成し、その差し込んだ桿材４５をテコとして振り動かすとき、テコの力が作用して戴承台１４を支持台１５の上で移動し得る形状のものであればよく、第１実施例と第２実施例における連結材４３・４４・５３・５４の様に真っ直ぐになったものでなくてもよい。
６１は、パイプと連結材を接合するクランプである。
【００４４】
【発明の効果】
本発明に係るＰＣ基礎部材位置調整治具１３を使用する場合、押上治具１３を操作してＰＣ基礎部材１１を一旦持ち上げてやれば、桿材４５を使用してＰＣ基礎部材１１の据付位置を調整し、ハンドル５７を回し、或いは、吊上部材３７を回してＰＣ基礎部材１１の建ち具合を調整することが出来、従来のようにバールを持って腰をかがめて作業する必要がなく安全である。
【００４５】
そして、ＰＣ基礎部材１１は油圧ジャッキ等の押上治具１３を用いて持ち上げるので、ＰＣ基礎部材１１の据付位置や建ち具合を調整に然程の労力を要しない。
【００４６】
ＰＣ基礎部材１１の据付位置の調整時に移動する戴承台１４は、支持台１５に点接触していて楽に動かせるので、微妙な据付位置の調整も簡単に出来る。
【００４７】
ＰＣ基礎部材１１の下地面１２への仮置きにクレーンを使用するとしても、その仮置きしたＰＣ基礎部材１１の据付位置や建ち具合の調整が簡単に出来るので、仮置き作業を短時間で終了し得、クレーンの使用時間が短縮される。
【００４８】
戴承台１４や支持台１５などのＰＣ基礎部材位置調整治具１３の多くの部分に、建築現場の足場に使用される単管（丸パイプ）を使用することが出来、ＰＣ基礎部材位置調整治具１３を軽量で安く作ることが出来る。
【００４９】
このように本発明によると、労力を左程要せず、ＰＣ基礎部材据付位置の下地面の良し悪しに影響されず、据付位置の調整時にはＰＣ基礎部材の建ち具合が損なわれず、建ち具合の調整時には据付位置が変わってしまわず、建ち具合と据付位置の各調整をそれぞれ切り離して行うことが出来、且つ、迅速確実にＰＣ基礎部材の据付位置と建ち具合を調整することが出来る。
【図面の簡単な説明】
【図１】本発明に係るＰＣ基礎部材位置調整治具の斜視図である。
【図２】本発明に係るＰＣ基礎部材位置調整治具の要部斜視図である。
【図３】本発明に係るＰＣ基礎部材位置調整治具の斜視図である。
【図４】本発明に係るＰＣ基礎部材位置調整治具の斜視図である。
【図５】本発明に係るＰＣ基礎部材位置調整治具の要部側面図である。
【図６】本発明に係るＰＣ基礎部材位置調整治具の側面図である。
【図７】本発明に係るＰＣ基礎部材位置調整治具の要部斜視図である。
【図８】本発明に係るＰＣ基礎部材位置調整治具の斜視図である。
【図９】本発明に係るＰＣ基礎部材位置調整治具の要部斜視図である。
【図１０】本発明に係るＰＣ基礎部材位置調整治具の側面図である。
【図１１】本発明に係るＰＣ基礎部材位置調整治具の斜視図である。
【図１２】下地面に仮置きされたＰＣ基礎部材の側面図である。
【符号の説明】
１０  大型バール
１１  ＰＣ基礎部材
１２  施工下地面
１３  押上治具（ジャッキ）
１４  戴承台
１５  支持台
１６  脚材
１７  吊り材
１８  シリンダー本体
１９  ピストン
２０  基台
２１  開口
２２  天端部材
２３  吊り具
２４  従動部材
２５  螺子
２６  爪材
２７  支材
２８  スペース
２９  螺子桿
３０  爪材の突出先端
３１  螺子桿の先端
３２  係止舌片の下端
３３  係止舌片
３４  スペース
３５  アンカーボルト
３７  吊上部材
３８  接合箇所
３９  ＰＣ基礎部材位置調整治具
４０  開口
４１  パイプ
４２  パイプ
４３  連結材
４４  連結材
４５  桿材
４６  平板
４７  突出片
４８  突出片
４９  角パイプ
５０  孔
５１  パイプ
５２  パイプ
５３  連結材
５４  連結材
５５  ナット
５６  天端
５７  ハンドル
５８  スターラップ筋
５９  下端主筋
６０  ナット
６１  クランプ
６２  緊張器
６３  中心線
Ｇ    ＰＣ基礎部材の重心
ａ    戴承台の連結材の長さ
ｂ    支持台のパイプの長さ
ｃ    支持台の連結するパイプの長さ
ｄ    戴承台のパイプの長さ
ｅ    吊り材間の距離
【図１】
0003692433.tif 000002
【図２】
0003692433.tif 000003
【図３】
0003692433.tif 000004
【図４】
0003692433.tif 000005
【図５】
0003692433.tif 000006
【図６】
0003692433.tif 000007
【図７】
0003692433.tif 000008
【図８】
0003692433.tif 000009
【図９】
0003692433.tif 000010
【図１０】
0003692433.tif 000011
【図１１】
0003692433.tif 000012
【図１２】
0003692433.tif 000013